【事件の表示】
　平成　４年特許願第１９９４１８号「光学式ピックアップ装置」拒絶査定に対する審判事件〔平成　６年　２月１８日出願公開、特開平　６−　４４６０２、請求項の数（２）〕について、次のとおり審決する。
【結　論】
　原査定を取り消す。
　本願の発明は、特許すべきものとする。
【理　由】
１．手続の経緯・本願発明
　本願は、平成４年７月２７日の出願であって、その請求項１乃至２に係る発明は、平成１１年３月１１日付および平成１２年９月１日付手続補正書により補正された明細書および図面の記載から見て、特許請求の範囲の請求項１乃至２に記載された次のとおりのものと認める。（以下「本願発明１」、「本願発明２」という。）
　【請求項１】　光学ユニットと、前記光学ユニットを保持する保持手段とを有し、前記光学ユニットは光源と、この光源からの出射光を主ビームと少なくとも２つの副ビームに分割する光分割手段と、前記主ビームおよび前記副ビームを各々独立に光学式情報記録媒体上に集光する集光手段と、前記光学式情報記録媒体において反射されて戻ってきた反射光を前記出射光の光路から分離する光分離手段と、前記反射光を受光する受光手段とを備え、前記光分割手段と前記光分離手段とは、互いに対向する２枚の主面を有しかつガラスまたはプラスティックよりなる１つの基体の、一方の主面上に前記光分割手段を設け、他方の主面上に前記光分離手段を設けて回折素子を形成し、この回折素子の側面の少なくとも一部に前記回折素子の光軸を中心軸とする円筒面を有したものであり、前記保持手段は前記円筒面に外接する内面を有し、かつこの内面を通じて前記回折素子を保持し、前記回折素子は前記内面に沿って摺動可能であることを特徴とする光学式ピックアップ装置。
　【請求項２】　前記回折素子は、前記２枚の主面のうち少なくとも１枚が、１つ以上の凸部、凹部または凹凸部を有し、前記凸部、前記凹部または前記凹凸部の少なくとも一部に前記回折素子の光軸を中心軸とする円筒面を有することを特徴とする請求項１記載の光学式ピックアップ装置。
　
２．原査定の拒絶の理由
　これに対して、原査定の拒絶の理由の概要は、本願発明は、特開昭６４−３００３６号公報（以下「引用刊行物１」という。），特開平２−７９２３１号公報（以下「引用刊行物２」という。），特開昭６４−８６３３７号公報（以下「引用刊行物３」という。），特開平１−２３７９３５号公報（以下「引用刊行物４」という。），特開昭５７−１２７９３６号公報（以下「引用刊行物５」という。），実願平２−２６６８２号（実開平３−１２１５２２号）のマイクロフィルム（以下「引用刊行物６」という。），「位置決め技術」日刊工業新聞社（以下「引用刊行物７」という。），「機械器具設計便覧」オーム社（以下「引用刊行物８」という。）に基づいて当業者が容易に発明できたものであるから特許法第２９条第２項の規定により特許を受けることができない、というものである。
　
３．引用刊行物
　引用刊行物１には、グレーティングレンズを用いた光ピックアップに関し、軽量、小型、低廉な光ピックアップを提供することを目的とし、「レーザ光を軸対称に交差させる第１のグレーティングレンズと該第１のグレーティングレンズを透過した回折光を所定の一点に合焦させる第２のグレーティングレンズとを光軸上に配置したグレーティングレンズ光学系と、上記第１，第２のグレーティングレンズ間に配置され上記合焦点からの反射信号を分離する少なくとも２個の異なるホログラム領域を有する信号光分離用ホログラムと、該信号光分離用ホログラムによる分離された反射信号光を上記両グレーティングレンズ間に閉じ込めるグレーティングレンズ間に平行な反射手段と、両グレーティングレンズ間に配置され上記反射手段により反射された反射信号光を検出する少なくとも２個の光検出器とを有する光ピックアップ。」（特許請求の範囲）の発明が記載されている。
　引用刊行物２には、光ディスク装置の光ピックアップにおける光学系として用いるホログラムユニットに関して、トラッキングエラー検出用スポットの位置調節を容易にするために、各光学系部品をホログラムユニットとしてユニット化することによって「回折格子と光検出器との位置関係が確定しているので、トラッキングエラー検出用のスポットの位置調整の際には、オプトベースに対してホログラムユニットを光軸回りに回動するだけで位置調整が完了」（第４頁右下欄）するという発明が記載されている。
　引用刊行物３には、「一方の面に、回折光がそれぞれ異なる２点に焦点を結ぶようにされた２つの領域からなるホログラムを備え、他方の面に、光ビームを３つの光ビームに分ける回折格子面を備えたことを特徴とするホログラム。」（特許請求の範囲）の発明が記載されている。
　引用刊行物４には、「……を具備している光学式ピックアップ装置において、上記対物レンズを保持する保持体と、上記光源と、受光素子と、第１および第２の回折格子とを収納保持する筒状部材を設け、上記筒状部材を上記保持体内において上記光源から出射される光束の光軸を中心として回動可能に保持したことを特徴とする光学式ピックアップ装置。」（特許請求の範囲）の発明が記載されている。
　引用刊行物５には、「光ビームを対物レンズを用いてディスク上に集光させて情報を検出する光学式ディスクプレーヤにおいて、鏡筒の一端に上記対物レンズを設け、この鏡筒の他端をばねを介して上記鏡筒の光軸方向動および揺動自在に支持すると共に、上記鏡筒の中間をバルク状の弾性体で支持するようにした光学式ディスクプレーヤ。」（特許請求の範囲）の発明が記載されている。
　引用刊行物６には、「鏡筒に固定したコリメータレンズと、発光源としてのレーザダイオードと、前記レーザーダイオードに対して前記鏡筒の位置調整を行うための機構部からなるコリメータレンズ組立体の構造において、内径がコリメータレンズ鏡筒外径と嵌合し、長さが前記鏡筒より長い筒を前記鏡筒外周に設けたことを特徴とするコリメータレンズ組立体構造。」（実用新案登録請求の範囲）の発明が記載されている。
　引用刊行物７には、 位置合わせ用逃がしに関する技術が、そして、引用刊行物８には、
複数部材の位置合わせに関する一般的技術が記載されている。
　　
４．当審の判断
　引用刊行物１乃至７には、ビームを分割する回折格子と反射光を分離するホログラムとを１つの板の表裏に形成した光学素子、光源と受光素子などの光学素子を回折素子と一体化した構成、光学素子を筒状部材に収納して光軸を中心に回動可能な構成としたもの、および組立に関する一般技術が記載されているが、回折素子の側面の少なくとも一部に前記回折素子の光軸を中心軸とする円筒面を設け、保持手段は前記円筒面に外接する内面を有し、かつ、この内面を通じて前記回折素子を保持し、前記回折素子は前記内面に沿って摺動可能であるようにした構成は、いずれの引用刊行物にも記載されておらず、本願発明は、この構成により、回折素子の光軸合わせが回折素子の外周と保持部の内周のみで行われるので、介在する部品点数の減少により、光軸位置調整が容易となると同時に、回動調整が必要な回折素子の調整が容易となるという、いずれの引用刊行物にもない特有の効果を奏するものである。
　したがって、本願請求項１に係る発明は、引用刊行物１乃至８に基づいて当業者が容易に発明をすることができたものとすることができない。
　また、本願請求項２に係る発明は、請求項１に係る発明を更に限定するものであるから請求項１に係る発明と同様に引用刊行物１乃至８に基づいて当業者が容易に発明をすることができたものとすることができない。
　
５．むすび
　以上のとおりであるから、本願発明は、原査定の理由によっては、拒絶することができない。また、他に本願を拒絶すべき理由を発見しない。
　よって、結論のとおり審決する。